(57)【要約】      （修正有）【課題】ハンドバッグや鞄、財布、ポーチの内部や携帯電話、アイホンの裏面に磁気カードフォルダーを直接貼付することが可能であり、自動改札機をスムーズに通過する磁気カードフォルダーを提供する。【解決手段】方形のシート状の本体部の表面上部に細幅の磁気カード挿入案内部８を残して磁気カード挿入用のポケット１２を設けこの本体部の裏面の全面又はそれより小面積わたり面ファスナーの雄又は雌面３を設けた磁気カードフォルダー２０と上記面ファスナーの雄又は雌面３の大きさに対応する大きさの面ファスナー雄又は雌面４の裏面に粘着層１１を介して剥離紙５が被せられている磁気カードフォルダー固着用付属品２１との二品を一組となしたことを特徴とする鞄やハンドバッグ内部の底面や側面等に磁気カードを定着するための磁気カード定着用品３０。【選択図】図２
0003163823.tif 000002
【実用新案登録請求の範囲】
【請求項１】
方形のシート状の本体部（１）の表面の一端に細幅の磁気カード挿入案内部（８）を残して磁気カード挿入用のポケット（１２）を設け、この本体部（１）の裏面の全面又は一部に面ファスナーの雄又は雌面（３）を設けた磁気カードフォルダー（２０）と、上記面ファスナーの雄又は雌面（３）の寸法形状に対応する寸法形状の面ファスナー雌又は雄面（４）の裏面に粘着層（１１）を介して剥離紙（５）が被せられている磁気カードフォルダー固着用付属品（２１）との二品を一組となしたことを特徴とする鞄やハンドバッグ内部の底面や側面等に磁気カードを定着するための磁気カード定着用品（３０）。
【請求項２】
上記磁気カードフォルダー（２０）に設けられている面ファスナーの雄又は雌面（３）と上記磁気カードフォルダー固着用付属品（２１）の面ファスナーの雌又は雄面（４）とが予め合わされて係止されていることを特徴とする請求項１記載の磁気カード定着用品（３０）。
【請求項３】
上記磁気カードフォルダー（２０）の磁気カード挿入案内部（８）の上端に磁気カードの抜け止めの為の凸部（７）が設けられていることを特徴する請求項１又は２記載の磁気カード定着用品（３０）。
【考案の詳細な説明】
【技術分野】
【０００１】本考案は、輸送機関である鉄道、路面バスに乗降車するための磁気カードフォルダーに関するものである。
【背景技術】
【０００２】磁気カードは通勤や通学及び移動するたびに使用するもので、これを汚損や紛失から護るために、殆どの鉄道、路面バス利用者はこれをフォルダーに入れている。利用者はそのつど定期入れを出し自動改札機の感知パネルにかざして利用する。この煩雑とした行為を簡便にするために、所持するハンドバッグや鞄の底や側面の内部に貼付し、自動改札機でもたつくことなく通過することができる磁気カードフォルダーを考案した。
【先行技術文献】
【特許文献】
【０００３】実開平６−１９５４６号公報の定期ホルダーでは、定期券の出し入れがワンタッチ的に簡単に行えるとあるが、カードを取り出し改札口の挿入口にカードを入れなければならない、それに、本提案の定期ホルダーでは鞄の底などに固着することはできず、磁気カードではないので、改札口で必ずカードを取り出し挿入口にカードを挿入しなければならない。
【特許文献１】実開平６−１９５４６号広報
【考案の概要】
【考案が解決しようとする課題】
【０００４】ハンドバッグの底に磁気カードを入れる箇所が着いた物もあるが、一般に普及していないのが現状で、現在使用中のハンドバッグや鞄を買い換えることなく本考案の磁気カードフォルダーを装着するだけで活用でき、朝夕のラッシュ時に用いれば、ハンドバッグや鞄に固着する位置が決まるためハンドバッグや鞄をタッチパネルにかざすだけで自動改札機を用意に通過でき、他に荷物を持っている場合でも手間取をとらず、軽装で移動する場合であっても、財布、ポーチの内部や携帯電話、アイホンの裏面に貼付することが可能であり、用途は多彩な磁気カードフォルダーである。
【課題を解決するための手段】
【０００５】請求項１記載の磁気カード定着用品（３０）は、方形のシート状の本体部（１）の表面の一端に細幅の磁気カード挿入案内部（８）を残して磁気カード挿入用のポケット（１２）を設け、この本体部（１）の裏面の全面又は一部に面ファスナーの雄又は雌面（３）を設けた磁気カードフォルダー（２０）と、上記面ファスナーの雄又は雌面（３）の寸法形状に対応する寸法形状の面ファスナー雌又は雄面（４）の裏面に粘着層（１１）を介して剥離紙（５）が被せられている磁気カードフォルダー固着用付属品（２１）との二品を一組となしたことを特徴とする鞄やハンドバッグ内部の底面や側面等に磁気カードを定着するためのものである。【０００６】請求項２記載の磁気カード定着用品（３０）は、磁気カード定着用品（３０）に設けられている面ファスナーの雄又は雌面（３）と磁気カードフォルダー固着用付属品（２１）の面ファスナーの雄又は雌面（４）とが予め合わされていることを特徴とする。【０００７】請求項３記載の磁気カード定着用品（３０）は上記磁気カードフォルダー（２０）の挿入案内部の上端に磁気カードの抜け止めの為の凸部（７）が設けられていることを特徴する。
【考案の効果】
【０００８】請求項１記載の磁気カード定着用品（３０）は、上記の構成であるので、上記磁気カードフォルダー固着用付属品（２１）の剥離紙（５）を剥して、鞄やハンドバッグ内部の底面や側面の、適当な位置に粘着層（１１）により貼り付け、この磁気カードフォルダー固着用付属品（２１）の面ファスナー（４）の上に磁気カードフォルダー（２０）の面ファスナー（３）を係止して、ポケット（１２）に磁気カード（２）をいれれば、いちいち磁気カード（２）を取り出さなくても鞄やハンドバッグを自動改札機の感知パネルにかざせば瞬時に自動改札機をスムーズに通過することが出来る。また鞄やハンドバッグから内容物を取り出しても磁気カード（２）が紛失することがない。【０００９】請求項２記載の磁気カード定着用品（３０）は、上記構成であるので、剥離紙（５）を剥して上述のように鞄やハンドバッグに貼り付ければワンタッチで磁気カードフォルダー（２０）も装着できる。【００１０】請求項３記載の磁気カードフォルダー（２０）の挿入案内部の上端に磁気カードの抜け止めの為の凸部（７）が設けられているので上記効果をことを奏するとともに凸部があるからカードが落ちないので紛失しない。
【図面の簡単な説明】
【００１１】
【図１】本考案の磁気カードフォルダー（２０）を示す説明図。
【図２】図１の裏側を示す図と磁気カードフォルダー固着用付属品（２１）を示す説明図。
【図３】本考案の磁気カードフォルダー（２０）に実際にカードを入れる時の様子を示す説明図。
【図４】本考案の磁気カード定着用品（３０）を鞄の内部側面に貼り付けた様子を示す説明図。
【図５】本考案の磁気カード定着用品（３０）をハンドバッグ内部底面に貼り付けた様子を示す説明図。
【考案を実施するための形態】
【実施例】
【００１２】以下図面を用いて本考案の実施例を説明する。図１は本考案の磁気カードフォルダー（２０）の表側を示す。本体部（１）は美しい染めを施した布地で縦９．５センチ横６センチの寸法のものを用いた。【００１３】磁気カード挿入案内部（８）として幅１０ミリ残して、磁気カード挿入用ポケット（１２）を同じ布地を用いて設け、磁気カード挿入案内部（８）の上端に高さ２ミリ、幅４ミリの凸部（７）を全幅に亘り設けた。【００１４】図２（２−１）は、面ファスナーの雄又は雌面（３）を設けた。【００１５】図２（２−２）は、磁気カードフォルダー固着用付属品（２１）を示す。縦６センチ横４センチの面ファスナー雄面（４）の裏面に粘着層（１１）を介して剥離紙（５）を被せた。【００１６】図３は磁気カードフォルダー（２０）に磁気カード（２）を挿入している様子を示す。
このようにして磁気カード挿入用ポケット（１２）に磁気カード（２）を入れる。【００１７】図４図５は、この磁気カード定着用品（３０）に磁気カード（２）を入れて実際に鞄やハンドバッグに固着した状態を示す。【００１８】図４図５ように決まった位置に固着すれば自動改札機の感知パネルに、毎回同じ場所をかざせばスムーズに通過できる。
【符号の説明】    １  本体部
２  磁気カード
３  面ファスナー雄又は雌面
４  磁気カードフォルダー固着用付属品面ファスナー雄又は雌面
５  剥離紙
６  磁気カード挿入口
７  凸部
８  磁気カード挿入案内部
９  鞄
１０  ハンドバッグ
１１  粘着層
１２  磁気カード挿入用ポケット
２０  磁気カードフォルダー部
２１  磁気カードフォルダー固着用付属品
３０  磁気カード定着用品
【図１】
0003163823.tif 000003
【図２】
0003163823.tif 000004
【図３】
0003163823.tif 000005
【図４】
0003163823.tif 000006
【図５】
0003163823.tif 000007